(57)【要約】  受信器は、復調された信号を供給する復調器と、復調された信号に応じ、セントロイドを算出し、かつ、復調器におけるキャリア位相不定性を除去するうえで用いる正しいキャリア位相を識別するセントロイド算出器とを備える。更に、セントロイド算出器は、リミタを含み得る。
2007537662.tif 000002
【特許請求の範囲】
【請求項１】
受信器であって、
復調された信号を供給する復調器と、
前記復調された信号に応じ、チャネル・インパルス応答の仮想中心値を供給するセントロイド算出器とを備え、
該セントロイド算出器も、前記復調された信号に応じ、前記復調器におけるキャリア位相不定性を除去するうえで用いる正しいキャリア位相を識別することを特徴とする受信器。
【請求項２】
請求項１記載の受信器であって、前記復調信号は、シンボル周期Ｔ毎にＮ＞１個のサンプルを備えることを特徴とする受信器。
【請求項３】
請求項２記載の受信器であって、前記Ｎ個の信号サンプルのそれぞれは複素であることを特徴とする受信器。
【請求項４】
請求項１記載の受信器であって、前記セントロイド算出器は、セントロイド算出の前にキャリア位相不定性を取り除くのに用いる前記正しいキャリア位相を識別することを特徴とする受信器。
【請求項５】
請求項１記載の受信器であって、前記セントロイド算出器は、
前記復調信号に応じ、前記正しいキャリア位相を識別し、前記識別された正しいキャリア位相を前記復調器に供給する検出器を備えることを特徴とする受信器。
【請求項６】
請求項５記載の受信器であって、前記セントロイド算出器は、セントロイド算出を供給するために、前記識別された正しいキャリア位相を用いることを特徴とする受信器。
【請求項７】
請求項５の受信器であって、前記検出器は、
前記復調された信号を同期信号に関係付ける少なくとも１つの処理路であって、相関値及び該相関値の符号を供給するのに用いる相関器及び漏れ積分器を備える処理路と、
前記相関値の前記符号の関数として前記正しいキャリア位相を識別するキャリア位相検出器とを備えることを特徴とする受信器。
【請求項８】
請求項７記載の受信器であって、前記同期信号が、ＡＴＳＣ−ＤＴＶ（高度テレビジョン方式委員会−ディジタル・テレビジョン）セグメント同期信号であることを特徴とする受信器。
【請求項９】
請求項７記載の受信器であって、前記同期信号が、ＡＴＳＣ−ＤＴＶ（高度テレビジョン方式委員会−ディジタル・テレビジョン）フレーム同期信号であることを特徴とする受信器。
【請求項１０】
請求項１記載の受信器であって、前記セントロイド算出器は、閾値の関数として、中の相関値をリミティングするリミタを含むことを特徴とする受信器。
【請求項１１】
請求項１０の受信器であって、前記閾値はピーク相関値の関数であることを特徴とする受信器。
【請求項１２】
受信器において用いる方法であって、
復調された信号を供給する工程と、
前記復調された信号からチャネル・インパルス応答の仮想中心を判定する工程とを備え、
前記判定する工程は、復調器におけるキャリア位相不定性を取り除くのに用いる正しいキャリア位相を識別する工程を含むことを特徴とする方法。
【請求項１３】
請求項１２記載の方法であって、前記復調信号は、シンボル周期Ｔ毎にＮ＞１個のサンプルを備えることを特徴とする方法。
【請求項１４】
請求項１３記載の方法であって、Ｎ個の信号サンプルのそれぞれは複素であることを特徴とする方法。
【請求項１５】
請求項１２記載の方法であって、前記判定する工程は、
前記仮想中心を判定する前にキャリア位相不定性を取り除くのに用いる前記正しいキャリア位相を識別することを特徴とする方法。
【請求項１６】
請求項１２記載の方法であって、前記判定する工程は、
前記識別された正しいキャリア位相を前記復調器に供給する工程を含むことを特徴とする方法。
【請求項１７】
請求項１２記載の方法であって、前記判定する工程は、
相関値及び該相関値の符号を供給するよう、前記復調された信号を同期信号に関係付ける工程と、
前記相関値の前記符号の関数として前記正しいキャリア位相を識別する工程とを含むことを特徴とする方法。
【請求項１８】
請求項１７記載の方法であって、前記同期信号が、ＡＴＳＣ−ＤＴＶ（高度テレビジョン方式委員会−ディジタル・テレビジョン）セグメント同期信号であることを特徴とする方法。
【請求項１９】
請求項１７記載の方法であって、前記同期信号が、ＡＴＳＣ−ＤＴＶ（高度テレビジョン方式委員会−ディジタル・テレビジョン）フレーム同期信号であることを特徴とする方法。
【請求項２０】
請求項１２記載の方法であって、前記判定する工程は、
相関値を閾値の関数としてリミティングする工程を含むことを特徴とする方法。
【請求項２１】
請求項２０の方法であって、前記閾値はピーク相関値の関数であることを特徴とする方法。
【発明の詳細な説明】
【技術分野】
【０００１】
本発明は一般に通信システムに関し、特に受信器に関する。
【背景技術】
【０００２】
ＡＴＳＣ−ＤＴＶ（米国高度テレビジョン方式委員会・ディジタル・テレビジョン）システム（例えば、Ｕｎｉｔｅｄ  Ｓｔａｔｅｓ  Ａｄｖａｎｃｅｄ  Ｔｅｌｅｖｉｓｉｏｎ  Ｓｙｓｔｅｍｓ  Ｃｏｍｍｉｔｔｅｅ，  「ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５３，  Ｓｅｐｔｅｍｂｅｒ  １６，  １９９５、及び「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５４，  Ｏｃｔｏｂｅｒ  ４，  １９９５参照。）のような、現代のディジタル通信システムでは、高度変調、チャネル符号化及び等化が通常、施される。受信器では、復調器は一般にキャリア位相及び／又はシンボル・タイミングの不定性を有する。等化器は一般に、ＤＦＥ（判定帰還等化器）タイプ又はその特定の変形であり、有限長を有する。激しく歪んだチャネルでは、信号を首尾良く処理し、歪みを補正する最良の機会を等化器に与えるうえでチャネル・インパルス応答の仮想中心が分かることが重要である。一手法は、セグメント同期化（同期）信号に基づいて適応型等化器のチャネルの仮想中心を算出するセントロイド算出器を用いるものである。別の手法は、フレーム同期信号に基づいて適応型等化器のチャネルの仮想中心を算出するセントロイド算出器を用いるものである。
【発明の開示】
【発明が解決しようとする課題】
【０００３】
チャネルの仮想中心を判定する前述の手法が、セントロイド算出器への入力として供給されるデータに対する、かつ、よって、セントロイドの推定に対する、誤ったキャリア位相の影響に対処していないことが明らかになっている。すなわち、前述の手法は、セントロイドの算出における復調器キャリア位相不定性の影響に対処しておらず、この不定性を補正しようとしていない。
【課題を解決するための手段】
【０００４】
したがって、かつ、本発明の原理によれば、受信器は、復調された信号を供給する復調器と、復調された信号に応じ、復調器におけるキャリア位相不定性を除去するうえで用いる正しいキャリア位相を識別するセントロイド算出器とを備える。
【０００５】
本発明の実施例では、ＡＴＳＣ受信器は、復調器と、セントロイド算出器と、適応型等化器とを備える。復調器は、受信されたＡＴＳＣ−ＤＴＶ信号を復調し、復調された信号を供給する。セントロイド算出器は、復調されたＡＴＳＣ−ＤＴＶ信号を処理し、復調器におけるキャリア位相不定性を除去するうえで用いる、復調信号の正しいキャリア位相を識別する。図では、セントロイド算出器は、復調されたＡＴＳＣ−ＤＴＶ信号内の訓練信号（例えば、セグメント同期又はフレーム同期）を用い、正しいキャリア位相を識別し、これは、適応型等化器のチャネル仮想中心の後の算出も向上させることが可能である。
【発明を実施するための最良の形態】
【０００６】
本発明の更なる実施例では、キャリア位相不定性は又、セントロイドの算出の前に補正される。更に、本発明の特徴によれば、セントロイド算出器は、特性を向上させる内部リミタを備える。
【実施例】
【０００７】
本発明の概念以外には、添付図面に示すエレメントは周知であり、詳細に説明しない。更に、テレビジョン放送及び受信器をよく知っていることを前提とし、本明細書では詳細に説明しない。例えば、本発明の概念以外では、ＴＶ標準（ＮＴＳＣ（米国テレビジョン方式委員会）、ＰＡＬ（位相反転走査線）、ＳＥＣＡＭ（順次式カラー・メモリ）及びＡＴＳＣ（高度テレビジョン方式委員会）（ＡＴＳＣ）の現在の勧告、及び提案されている勧告をよく知っていることを前提とする。同様に、本発明の概念以外では、送信の概念（８値残留側波帯（８−ＶＳＢ）、直交振幅変調（ＱＡＭ）など）と、受信器構成部分（無線周波数（ＲＦ）フロントエンドなど）、又は受信器部（低雑音ブロック、チューナ、復調器、相関器、漏れ積分器、及び二乗器など）とを前提とする。同様に、伝送ビット・ストリームを生成するフォーマッティング及び符号化の方法（動画像専門家グループ（ＭＰＥＧ）−２方式標準（ＩＳＯ／ＩＥＣ（１３８１８−１））は周知であり、本明細書では説明しない。更に、本発明の概念は、そういうものとして本明細書では説明しない通常のプログラミング手法を用いて実施することができる。最後に、添付図面上の同じ符号は同様なエレメントを表す。
【０００８】
本発明の概念を説明する前に、ＡＴＳＣ−ＤＴＶシステムに用いるセントロイド算出器１００の構成図を図１に示す。セントロイド算出器１００は、相関器１０５、漏れ積分器１１０、二乗器１１５，ピーク・サーチ・エレメント１２０、乗算器１２５、第１の積分器１３０、第２の積分器１３５及び位相検出器１４０を備える。センテロイド算出器１００は、セグメント同期信号、シンボル毎１サンプル、同相（実）成分のみを備えるデータ入力信号１０１−１に基づいている。データ入力信号１０１−１は、復調器（図示せず）によって供給される復調された受信ＡＴＳＣ−ＤＴＶ信号を表す。
【０００９】
データ入力信号１０１−１は、その中のセグメント同期信号（又はパターン）を検出する相関器１０５（又はセグメント同期検出器１０５）に印加される。セグメント同期信号は反復パターンを有し、隣接する２つのセグメント同期信号間の距離は幾分大きい（８３２シンボル）。そういうものとして、セグメント同期信号は、チャネル・インパルス応答を推定するのに用いることが可能であり、チャネル・インパルス応答は同様に、チャネルの仮想の中心（又はセントロイド）を推定するのに用いる。セグメント同期検出器１０５は、ＡＴＳＣ−ＤＴＶセグメント同期、すなわち、２進表現における［１  ０  ０  １］、又はＶＳＢシンボル表現における［＋５  −５  −５  ＋５］の特性に対してデータ入力信号１０１−１を相関させる。セグメント同期検出器１０５からの出力信号が、漏れ積分器１１０に次いで印加される。漏れ積分器１１０は、８３２シンボル長を有し、これは、一セグメントにおけるシンボル数に等しい。ＶＳＢデータはランダムであるので、データ・シンボル位置での積分器値はゼロに向けて平均化されることになる。しかし、４つのセグメント同期シンボルは８３２シンボル毎に繰り返されるので、セグメント同期位置での積分器値は信号強度に比例して増えることになる。チャネル・インパルス応答がマルチパス又はゴーストをもたらす場合、セグメント同期シンボルは、そのマルチパス遅延位置に現れることになる。その結果、マルチパス遅延位置での積分器値も、ゴースト振幅に比例して増えることになる。漏れ積分器は、ピーク・サーチが行われた後、積分器が新たな数を加算する都度、定数を減算する。これは、ハードウェア・オーバフローを避けるために行われる。８３２個の漏れ積分器値は、積分器１１５によって二乗される。結果として生じる出力信号、又は相関器信号１１６は、ピーク・サーチ・エレメント１２０及び乗算器１２５に送られる（なお、二乗の代わりに、エレメント１１５はその入力信号の絶対値を供給することができる）。
【００１０】
各漏れ積分器値（相関器信号１１６）がピーク・サーチ・エレメント１２０に入力されると、相当するシンボル・インデックス値（シンボル・インデックス１１９）もピーク・サーチ・エレメント１２０に入力される。シンボル・インデックス１１９は、元々ゼロにリセットすることができ、０から８３１までのパターンを繰り返して、新たな漏れ積分器値毎に１、増やされる仮想インデックスである。ピーク・サーチ・エレメント１２０は、二乗された８３２個の積分器値（相関器信号１１６）にわたってピーク・サーチを行い、ピーク信号１２１を供給する。ピーク信号１２１は、８３２個の二乗積分器値のうちの最大値に関連したシンボル・インデックスに相当する。ピーク信号１２１は、チャネルの初期中心として用いられ、第２の積分器１３５（以下に説明する）に入力される。
【００１１】
漏れ積分器値（相関器信号１１６）も、現行シンボル・インデックスから初期中心までの相対距離によっても重み付けされ、重み付けされた中心位置は次いで、帰還ループ又はセントロイド算出ループによって判定される。セントロイド算出ループは、位相検出器１４０、乗算器１２５、第１の積分器１３０及び第２の積分器１３５を備える。この帰還ループはピーク・サーチが行われた後に始まり、第２の積分器１３５は、初期の中心値又はピーク値によって初期化される。位相検出器１４０は、現行シンボル・インデックス（シンボル・インデックス１１９）と仮想中心値１３６との間の距離（信号１４１）を算出する。重み付けされた値１２６は、乗算器１２５を介して算出され、第１の積分器１３０に供給され、第１の積分器１３０は、８３２個のシンボル群毎に、重み付けされた値を蓄積する。前述のように、第２の積分器１３５は当初、ピーク値に設定され、次いで、第１の積分器１３０の出力を蓄積して仮想中心値又はセントロイド１３６を作成するよう進む。図１における積分器は全て、暗黙的なスケーリング係数を有する。
【００１２】
仮想中心値１３６が判定されると、セグメント同期やフレーム同期信号などのＶＳＢ参照信号が、仮想中心で整列するよう受信器において局所で再生成される（図示せず）。その結果、等化データ出力を仮想中心で整列させることになるようにチャネルを等化させるよう等化器においてタップが増えることになる。
【００１３】
図１に関して前述したシステムの、複素データ入力信号（同相成分及び直交成分）、シンボル毎２サンプル、又はフレーム同期ベースの設計への拡張は、図１から容易に得られる。
【００１４】
例えば、データ入力信号が複素の場合、（ここでは「複素セントロイド算出器」としても表される）セントロイド算出器は、図２に示すように入力データ信号の同相（Ｉ）成分及び直交（Ｑ）成分を別個に処理する。特に、入力データ信号の同相成分（１０１−１）は相関器（セグメント同期検出器）１０５−１、漏れ積分器１１０−１及び二乗器１１５−１によって処理される一方、入力データ信号の直交成分（１０１−２）は、相関器（セグメント同期検出器）１０５−２、漏れ積分器１１０−２及び二乗器１１５−２によって処理される。こうしたエレメントそれぞれは、図１において前述したものと同様に機能する。添付図面では示していないが、シンボル・インデックスを何れかの二乗器エレメントから生成することが可能である。各二乗器（１１５−１及び１１５−２）からの出力信号は、相関器信号１１６を供給するよう加算器１８０を介して一緒に加算され、処理の残りは、図１に関して前述したものと同様である。
【００１５】
シンボル毎２サンプルのセントロイド算出器に関し、Ｔ／２間隔を例証的に用いる（ここでＴはシンボル間隔に相当する）。例えば、セグメント同期検出器は、Ｔ／２の間隔のセグメント同期特性に一致した、Ｔ／２間隔の値を有し、漏れ積分器は２×８３２長であり、シンボル・インデックスは、０，１，２，…，８３１の代わりに０，０，１，１，２，２，…，８３１，８３１のパターンに従う。
【００１６】
最後に、フレーム同期信号に基づいたセントロイド算出器の場合、以下に留意することとする。フレーム／フィールド同期信号は８３２個のシンボルから構成され、３１３個のセグメント毎に到着するので、これは、チャネルにおいて分散させた如何なる実用的マルチパスよりも長く、よって、何れかのマルチパス信号の位置を判定するうえでの問題は何ら存在しない。図１中のセグメント同期検出器ではなく非同期ＰＮ５１１相関器を用いてチャネル・インパルス応答を測定することができる（８３２個のフレーム同期シンボルのうち、ＰＮ５１１のみを用いた場合）。（ＰＮ５１１は、疑似乱数系列であり、前述のＡＴＳＣ標準に記載されている。）更なる処理は、処理が少なくとも１つのフィ―ルド全体の持続時間、行われる以外は、図１について前述したものと同様である。相関値をピーク・サーチ関数ブロックに送って、一フィールド時間にわたってピーク・サーチを行う。このピーク値のシンボル・インデックスはよって、初期仮想中心点として用いるものとする。初期中心点が判定されると、相関出力が所定の閾値を超えており、初期仮想中心点前後の特定の範囲内にある場合にのみ解析される。例えば、初期中心位置の周りに＋／−５００個のシンボルがあることによって、相関出力が所定の値を上回ることが位置付けられる。厳密な範囲は、現実の環境において直面することが見込まれる実用的なチャネル・インパルス応答長と、利用可能な等化器の長さとによって定められる。処理の残りは、図１について前述したものと同様である。
【００１７】
チャネルの仮想中心を判定する前述の手法が、セントロイド算出器への入力として供給されるデータに対する、かつセントロイドの推定に対する、誤ったキャリア位相の影響に対処していないことが明らかになっている。すなわち、前述の手法は、セントロイドの算出における復調器キャリア位相不定性の影響に対処しておらず、この不定性を補正しようとしていない。
【００１８】
したがって、かつ、本発明の原理によれば、受信器は、復調された信号を供給する復調器と、復調された信号に応じ、復調器におけるキャリア位相不定性を除去するうえで用いる正しいキャリア位相を識別するセントロイド算出器とを備える。
【００１９】
本発明の原理による例証的なテレビジョン受像機１０の概要レベル構成図を図３に示す。テレビジョン（ＴＶ）受像機１０は受信器１５及びディスプレイ２０を含む。例証的には、受信器１５はＡＴＳＣ互換受信器である。受信器１５はＮＴＳＣ（米国テレビジョン方式委員会）互換でもあり得る（すなわち、ＴＶ受像機１０がＮＴＳＣ放送又はＡＴＳＣ放送からのビデオ・コンテンツを表示することができるようにＮＴＳＣ動作モード及びＡＴＳＣ動作モードを有し得る）。本発明の概念の説明を簡単にするうえで、ＡＴＳＣ動作モードのみを本明細書において説明する。受信器１５は、例えば、その上でビデオ・コンテンツを視るためにディスプレイ２０に印加するＨＤＴＶ（高品位ＴＶ）ビデオ信号をそこから復元するよう処理するために放送信号１１を（例えば、アンテナ（図示せず）を介して）受信する。
【００２０】
本発明の原理によれば、受信器１５は、キャリア位相不定性を補正するセントロイド算出器を含む。受信器１５の適切な部分の例証的な構成図は図４に示す。復調器２７５は、ＩＦ周波数（ＦＩＦ）でセンタリングされており、６ＭＨｚ（百万ヘルツ）に等しい帯域幅を有する信号２７４を受信する。復調器２７５は、復調された受信ＡＴＳＣ−ＤＴＶ信号２０１をセントロイド算出器２００に供給し、セントロイド算出器２００は、本発明の原理によって、復調器におけるキャリア位相不定性を除去するのに用いる正しいキャリア位相を識別する。特に、セントロイド算出器２００は、キャリア位相情報を信号２９４を介して復調器２７５に供給してその中のキャリア位相不定性を補正する。その結果、適応型等化器（図示せず）によって用いる仮想中心値１３６の後の算出も改善される。（なお、本発明の概念に適切でない受信器１５の他の処理ブロック（例えば、信号２７４を供給するＲＦフロントエンド等）は明細書に示されていない。）
次に図５を参照すれば、セントロイド算出器２００の例証的な構成図を示す。セントロイド算出器２００は、検出器２９０、位相検出器１４０、乗算器１２５、第１の積分器１３０及び第２の積分器１３５を備える。検出器２９０以外には、セントロイド算出器２００は、（前述の）セントロイド算出器１００と動作において同様である。復調器２７５によって供給される復調された受信ＡＴＳＣ−ＤＴＶ信号を表すデータ入力信号２０１が検出器２９０に入力される。検出器２９０によって、セントロイド算出器２００がキャリア位相不定性を補正し、図では、信号２９４によってキャリア位相情報を供給することが可能になる。
【００２１】
次に図６に移れば、本発明の原理による検出器２９０の例証的なブロック図を示す。この例では、シンボル周期Ｔ毎に一サンプルを処理し、データ入力信号２０１の同相成分を用いる。この点で、復調器クロック（図示せず）はシンボル・レート以上の周波数を有し得る。クロック周波数がシンボル・レートよりも高い場合、サンプル・イネーブル（図示せず）は、クロックに対してサンプルが利用可能な時点を識別する。簡単にし、かつ一般性を失うことなく、クロック周波数がシンボル・レートに等しいことを前提とする。
【００２２】
図６中のサンプルの特定の処理路（例えば、セグメント同期検出器、漏れ積分器及び二乗器）は図１に示すものと同様であるが、正しいキャリア位相を検出器２９０が識別することを可能にする、図６に示す配置における特定の主要な差が存在する。この点で、相関器（セグメント同期検出器）２０５、二乗エレメント２１５及びピーク・サーチ・エレメント２２０は、図１に示す相当するエレメントと同一である。同様に、漏れ積分器２１０は図１におけるものと同様であるが、１つの追加機能を備えている。すなわち、相関符号（ｃｏｒｒ＿ｓｉｇｎ２１１）の値は二乗器２１５からの個別の出力信号（ｃｏｒｒ＿ｖａｌｕｅ２１６）に関連付けられる。このことは必要である。漏れ積分器２１０からの相関値が符号情報を含むが、この符号情報は、二乗関数（エレメント２１５）後に失われるからである。よって、ｃｏｒｒ＿ｓｉｇｎ２１１を供給することによってこの情報が復元される。本発明の概念に必要でないが、以下の規則を本明細書中で用いる。漏れ積分器２１０の出力信号が０以上である場合にはｃｏｒｒ＿ｓｉｇｎ信号２１１の値は０に等しく、漏れ積分器２１０の出力信号が０未満の場合にはｃｏｒｒ＿ｓｉｇｎ信号２１１の値は１に等しい。
【００２３】
図６から分かり得るように、相関器値（ｃｏｒｒ＿ｖａｌｕｅ信号２１６）、ピーク信号２２１、シンボル・インデックス信号２１９及び相関符号（ｃｏｒｒ＿ｓｉｇｎ信号２１１）はキャリア位相検出器２８０によって処理される。以下に説明するように、キャリア位相検出器２８０はキャリア位相不定性が存在するか否かを決め、このキャリア位相が何であり得るかを決める。キャリア位相検出器２８０の複雑度は、考えられるキャリア位相不定性によって変わってくる。
【００２４】
１８０度のキャリア位相不定性の場合、信号２０１は考えられる２つのキャリア位相（０°及び１８０°）のみを有し、前者が、正しい位相である。この場合、キャリア位相検出器２８０は実施するのが簡単であり、図７の流れ図に示す。更に、このタイプのキャリア位相不定性は、二乗関数により、セントロイド算出器に影響を及ぼすものでない。工程３０５では、キャリア位相検出器２８０はピーク・サーチの完了を待つ。ピーク・サーチが完了すると、キャリア位相検出器２８０は、それに印加される信号、シンボル・インデックス２１９、ｃｏｒｒ＿ｖａｌｕｅ２１６、ピーク信号２２１及びｃｏｒｒ＿ｓｉｇｎ信号２１１を、工程３１０で、相当する出力信号として供給する。特に、シンボル・インデックス２９１、相関器値２９２、ピーク２９３及びキャリア位相信号２９４のそれぞれである。出力信号２９１、２９２及び２９３は図５に示すように、次いで、セントロイド算出器２００のエレメントの残りに印加され、処理は、図１に示すセントロイド算出器についで前述したように進む。
【００２５】
識別されたキャリア位相が１８０°の場合、復調器２７５からのシンボル（データ入力２０１）は反転されることになり、図５に示す相関器及び漏れ積分器の出力信号は負になり、これは、ｃｏｒｒ＿ｓｉｇｎ信号２１１の値によって示される。そういうものとして、キャリア位相シンボル２９４を復調器２７５に供給することによって、復調器２７５は次いで、キャリア位相信号２９４の値が「１」に等しい場合にそのシンボル出力を反転させ、よって、１８０°の位相不定性を取り除くことが可能である。よって、復調器２７５は、復調器２７５（例えば、等化器、トレリス復号器、デインタリーバ等（全てを図示しる訳ではない））に後続する（、又は復調器２７５からダウンストリームの）処理ブロックによって用いるその出力信号を補正することが可能である。
【００２６】
しかし、９０°のキャリア位相不定性の場合、キャリア位相検出器２８０の実施形態は異なる。この場合、復調器不定性は、考えられる４つのキャリア位相（０°、９０°、１８０°及び２７０°（又は−９０°）を有する。正しいキャリア位相を識別するために、位相と、相関器によって用いられる特定の同期信号との間の関係を理解することが重要である。図６の例証的な実施例では、用いる同期信号はセグメント同期信号である。キャリア位相とセグメント同期信号との間の関係を図８の表１に示す。表１は、セグメント同期信号と、スケーリングされたセグメント同期信号と、スケーリングされたセグメント同期の、自体との相関（Ｃ）と、スケーリングされたセグメント同期の、それ自体のヒューバートとの相関（Ｃｈ）とを示す。当該技術分野において知られているように、ヒューバート処理は、信号の９０°位相回転を行い、これはその直交成分と同等である。
【００２７】
９０°キャリア位相不定性を解決する、本発明の原理によるキャリア位相検出器２８０の例証的な構成図を図９に示す。キャリア位相検出器２８０は、乗算器４０５と、位相相関器同相（Ｉ）４１０−１、位相相関器直交（Ｑ）４１０−２、漏れ積分器４１５−１及び４１５−２、二乗器４２０−１及び４２０−２、並びに位相ピーク・サーチ・エレメント４２５を備える。図９から分かり得るように、入力信号ｃｏｒｒ＿ｖａｌｕｅ２１６、シンボル・インデックス２１９及びピーク信号２２１は出力信号２９２、２９３及び２９１それぞれとして供給される。Ｃｏｒｒ＿ｖａｌｕｅ信号２１６及びｃｏｒｒ＿ｓｉｇｎ信号２１１は乗算器４０５に入力される。結果として生じる積４０６は、相関器値（ｃｏｒｒ＿ｖａｌｕｅ信号２１６）であるが、今度は正しい符号を備えたものを表す。積４０６は、位相相関器（Ｉ）４１０−１及び位相相関器（Ｑ）４１０−２に入力される。これらのエレメントは、パターンＣ及びパターンＣｈそれぞれと積４０６とを関係付ける（Ｃ及びＣｈは図８の表１に示す）。特に、位相相関器（Ｉ）４１０−１は積４０６を表すデータをパターンＣと比較し、パターンＣは、ＶＳＢ信号の同相成分の期待値を表す一方、位相相関器（Ｑ）４１０−２は積４０６を表すデータをパターンＣｈと比較し、パターンＣｈは、ＶＳＢ信号の直交成分の期待値を表す。相関器４１０−１からの、結果として生じる出力信号は次いで、漏れ積分器４１５−１及び二乗器４２０−１によって処理される。二乗器４２０−１は、同相相関値４２１−１を供給する。同様に、相関器４１０−２からの、結果として生じる出力信号は次いで、漏れ積分器４１５−２及び二乗器４２０−２によって処理される。二乗器４２０−２は、直交相関値４２１−２を供給する。こうした漏れ積分器及び二乗エレメントは、前述の同様な関数を備えたものと同様である。漏れ積分器４１５−１及び４１５−２もｃｏｒｒ＿Ｉ＿ｓｉｇｎ信号４１６−１及びｃｏｒｒ＿Ｑ＿ｓｉｇｎ信号４１６−２を供給する。これらの信号は、前述のｃｏｒｒ＿ｓｉｇｎ信号２１１と同様であり、信号４２１−１及び信号４２１−２それぞれの符号を示す。前述のエレメントは、ピーク・サーチが図６のピーク・サーチ・エレメント２２０によって完了し、ピークが判定されるまで動作する。ピークが判定され、かつ、本発明の原理によれば、位相ピーク・サーチ・エレメント４２５は、キャリア位相オフセットが存在するか否かを判定し、位相オフセットの値を識別する。
【００２８】
次に図１０に移れば、正しいキャリア位相を判定するうえで位相ピーク・サーチ・エレメント４２５に用いる例証的な流れ図を示す。工程５０５では、位相ピーク・サーチ・エレメント４２５は、ピーク・サーチの完了を待つ。なお、工程５０５では、位相ピーク・サーチ・エレメント４２５は、シンボル・インデックス信号２１９によって供給される関連シンボル・インデックス値とともに信号４２１−１、４１６−１、４２１−２及び４１６−２の信号値を記憶する。ピーク・サーチが完了すると、位相ピーク・サーチ・エレメント５０５は、工程５１０で、ピーク位置付近のｋ個の同相相関値４２１−１を（それぞれのｃｏｒｒ＿Ｉ＿ｓｉｇｎ値４１６−１とともに）選択する。例えば、ｋ＝３の場合、位相ピーク・サーチ・エレメント４２５は、ピーク値２２１についてシンボル・インデックス２１９の値によって供給される、ピーク位置、ピーク−１の位置及びピーク＋１の位置に配置された同相相関値４２１−１（及びそれぞれのｃｏｒｒ＿Ｉ＿ｓｉｇｎ値４１６−１）を選択する。同様に、工程５１５では、位相ピーク・サーチ・エレメント５０５は、ピーク位置付近のｋ個の直交相関値４２１−２を（それぞれのｃｏｒｒ＿Ｑ＿ｓｉｇｎ値４１６−２とともに）選択する。例えば、ｋ＝３の場合、位相ピーク・サーチ・エレメント４２５は、ピーク値２２１についてシンボル・インデックス２１９の値によって供給される、ピーク位置、ピーク−１の位置及びピーク＋１の位置に配置された直交相関値４２１−２（及びそれぞれのｃｏｒｒ＿Ｑ＿ｓｉｇｎ値４１６−２）を選択する。工程５２０では、位相ピーク・サーチ・エレメント４２５は、工程５１０及び５１５で選択されたｋ＋ｋ値から最大相関値及び関連した符号値を判定する。工程５２５では。位相ピーク・サーチ・エレメント４２５は、最大相関値及び関連した符号値から正しいキャリア位相を判定し、キャリア位相信号２９４に適切な値を供給する。特に、最大相関値が同相相関値４２１−１である場合、関連したｃｏｒｒ＿Ｉ＿ｓｉｇｎ値４１６−１は正しいキャリア位相を判定する。例えば、ｃｏｒｒ＿Ｉ＿ｓｉｇｎ値４１６−１が０（正の値）の場合、正しいキャリア位相は０°であり、キャリア位相信号２９４は０に等しくなるように設定される。一方、ｃｏｒｒ＿Ｉ＿ｓｉｇｎ値４１６−１が１（負の値）の場合、正しいキャリア位相は１８０°であり、キャリア位相信号２９４は１に等しくなるように設定される。しかし、最大相関値が直交相関値４２１−２の場合、関連したｃｏｒｒ＿Ｑ＿ｓｉｇｎ  値４１６−２が、正しいキャリア位相を判定する。例えば、ｃｏｒｒ＿Ｑ＿ｓｉｇｎ値４１６−２が０（正の値）の場合、正しいキャリア位相は９０°であり、キャリア位相信号２９４は２に等しくなるように設定される。一方、ｃｏｒｒ＿Ｑ＿ｓｉｇｎ値４１６−２が１（負の値）の場合、正しいキャリア位相は２７０°（−９０°）であり、キャリア位相信号２９４は３に等しくなるように設定される。
【００２９】
前述の通り、キャリア位相検出器２８０はキャリア位相信号２９４を（図４の）復調器２７５に供給する。この実施例では、キャリア位相信号２９４は、０、１、２又は３の値を、正しい位相が０度、１８０度、９０度又は−９０度のそれぞれの場合に伝える。変調器２７５はこの信号に応じ、本発明の原理によって、その出力信号を、相当する位相オフセット、ねじり戻してその出力で存在するキャリア位相不定性を取り除く。よって、復調器２７５は、復調器２７５（例えば、等化器、トレリス復号器、デインタリーバ等（全てを図示しる訳ではない））に後続する（、又は復調器２７５からダウンストリームの）処理ブロックによって用いるその出力信号を補正することが可能である。
【００３０】
図５に戻れば、検出器２９０からの出力信号をセントロイド算出ループに供給して、図１に示すセントロイド算出器について前述した仮想中心値１３６を判定する。本発明のこの実施例では、セントロイド算出器２００はキャリア位相不定性を備えるデータを処理し、それ自体の動作においてそれを補正しない。これは、セントロイド算出器２００が、複素（Ｉ及びＱ）入力を受信するのではなく、同相入力のみを受信するからである。
【００３１】
次に図１１を参照すれば、本発明の原理による検出器２９０の別の実施例を示す。ここでは、キャリア位相不定性が、セントロイド算出前に識別され、補正される。この例では、検出器２９０は、シンボル周期Ｔ毎の一サンプルを処理し、複素データ（すなわち、データ入力信号（２０１）の同相（Ｉ）成分（２０１−１）及びデータ入力信号（２０１）の直交（Ｑ）成分（２０１−２））を用いる。図１１に示す実施例は、図６に示すものと同様であるが、特定の主要な違いが存在している。まず、同相成分２０１−Ｉ及び直交成分２０１−２は、それぞれのセグメント同期検出器、漏れ積分器、二乗器及びピーク・サーチ・エレメントによって無関係に処理される。特に、同相成分２０１ー１は、相関器（セグメント同期検出器）２０５−１、漏れ積分器２１０−１、二乗器２１５−１及びピーク・サーチ・エレメント２２０−１によって処理される。一方、直交成分２０１ー２は、相関器（セグメント同期検出器）２０５−２、漏れ積分器２１０−２、二乗器２１５−２及びピーク・サーチ・エレメント２２０−２によって処理される。第２に、ピーク・サーチ・エレメント２２０−１及び２２０−２は、前述のものと同様であるが、それぞれのピーク値（ｐｅａｋ＿Ｉ２２１−１及びｐｅａｋ＿Ｑ２２１−２）に関連した相関値（ｃｏｒｒ＿ｐｅａｋ＿Ｉ２２２―１及びｃｏｒｒ＿ｐｅａｋ＿Ｑ２２２−２）を供給するという付加機能を有する。これらの相関値（ｃｏｒｒ＿ｐｅａｋ＿Ｉ２２１―１及びｃｏｒｒ＿ｐｅａｋ＿Ｑ２２２−２）は、セグメント同期信号に基づいてセントロイド算出器についてサーチされた８３２個の値のうちの最大相関値であり、ピ―ク値（ｐｅａｋ＿Ｉ２２１―１及びｐｅａｋ＿Ｑ２２１−２）は、最大相関値に関連したシンボル・インデックスである。最後に、この例証的な実施例における位相検出器２８０は、図９において前述したものよりも単純である。
【００３２】
この例では、キャリア位相不定性は、考えられる４つのキャリア位相（０°、９０°、１８０°及び２７０°（又は−９０°））のみを有し、図１１のキャリア位相検出器２８０は、以下に説明する違いにかかわらず、図７に示すものと同様な流れ図を行う。図７の工程３０５では、図１１のキャリア位相検出器２８０は、ピーク・サーチの完了を待つ。ピーク・サーチの完了後、キャリア位相検出器２８０は、図７の工程３１０で、出力信号２９１、２９２、２９３及び２９４を供給する。これらの出力信号２９１、２９２及び２９３は、図５に示すセントロイド算出器２００のエレメントの残りに印加され、処理は、図１に示すセントロイド算出器について前述したように進む。
【００３３】
出力信号に関しては、シンボル・インデックス２９１は、シンボル・インデックス２１９の値に等しくなるように設定される。出力信号の残りは、以下の規則に応じて工程３１０で供給される。特に、ｃｏｒｒ＿ｐｅａｋ＿Ｉ２２２−１の値がｃｏｒｒ＿ｐｅａｋ＿Ｑ２２２−２の値以上の場合、関連したｃｏｒｒ＿Ｉ＿ｓｉｇｎ値２１１−１が、正しいキャリア位相を定める。例えば、ｃｏｒｒ＿Ｉ＿ｓｉｇｎ値２１１―１が０（正の値）に等しい場合、正しいキャリア位相は０°であり、キャリア位相信号２９４は０に等しくなるように設定され、ピーク信号２９３はｐｅａｋ＿Ｉ信号２２１―１に等しくなるように設定され、相関器値信号２９２はｃｏｒｒ＿ｖａｌｕｅ＿Ｉ２１６−１に等しくなるように設定される。一方、ｃｏｒｒ＿Ｉ＿ｓｉｇｎ値２１１―１が１（負の値）に等しい場合、正しいキャリア位相は１８０°であり、キャリア位相信号２９４は１に等しくなるように設定され、ピーク信号２９３はｐｅａｋ＿Ｉ信号２２１―１に等しくなるように設定され、相関器値信号２９２はｃｏｒｒ＿ｖａｌｕｅ＿Ｉ２１６−１に等しくなるように設定される。しかし、ｃｏｒｒ＿ｐｅａｋ＿Ｉ２２２−１の値がｃｏｒｒ＿ｐｅａｋ＿Ｑ２２２−２の値未満の場合、関連したｃｏｒｒ＿Ｑ＿ｓｉｇｎ値２１１−２が、正しいキャリア位相を判定する。例えば、ｃｏｒｒ＿Ｑ＿ｓｉｇｎ値２１１―２が０（正の値）に等しい場合、正しいキャリア位相は９０°であり、キャリア位相信号２９４は２に等しくなるように設定され、ピーク信号２９３はｐｅａｋ＿Ｑ信号２２１―２に等しくなるように設定され、相関器値信号２９２はｃｏｒｒ＿ｖａｌｕｅ＿Ｑ２１６−２に等しくなるように設定される。一方、ｃｏｒｒ＿Ｑ＿ｓｉｇｎ値２１１―２が１（負の値）に等しい場合、正しいキャリア位相は２７０°（−９０°）であり、キャリア位相信号２９４は３に等しくなるように設定され、ピーク信号２９３はｐｅａｋ＿Ｑ信号２２１―２に等しくなるように設定され、相関器値信号２９２はｃｏｒｒ＿ｖａｌｕｅ＿Ｑ２１６−２に等しくなるように設定される。
【００３４】
本発明の原理による別の実施例では、セントロイド算出器は、図７の工程３１０において、キャリア位相検出器２８０が（ｃｏｒｒ＿ｖａｌｕｅ１２１６−１＋ｃｏｒｒ＿ｖａｌｕｅＱ２１６−２）の和として出力信号相関器値２９２を常に供給する以外は、前述しており、図５及び図１１に示すものと同様である。
【００３５】
本発明の原理による更に別の実施例では、セントロイド算出器は、一度（わずかな時間）にシンボル毎にＮ個のサンプルを処理するよう拡張され、ここでＮは、整数であり、Ｎ≧２であり、（図５及び図６に示す第１の実施例と同様に）同相デ―タ入力のみである。図６及び図９に示す実施例の拡張であるこの実施例では、キャリア位相検出器２８０はＮ個のサンプルを処理する。シンボル毎にＮ個のサンプルのセントロイド算出器の場合、セグメント同期積分器は図ではＴ／Ｎ間隔であり、ここでＴはシンボル周期である。更に、セグメント同期相関器は、Ｔ／Ｎの間隔のセグメント同期特性に合致するＴ／Ｎの間隔の値を有し、漏れ積分器はＮｘ８３２長であり、シンボル・インデックスは各値をＮ回繰り返す。例えば、Ｎ＝２の場合、Ｎ＝１の場合の０、１、２、…、８３１の代わりに０、０、１、１、２、２、…，、８３１、８３１のパターンに従う。更に、図８の表１におけるパターン表現は、Ｔ／Ｎの間隔になるようにされ、それは図９の位相相関器Ｉ及びＱ並びに漏れ積分器の設計に反映される。最後に、位相ピーク・サーチ・アルゴリズムでは、図１０の工程５１０及び５１５におけるシンボル・インデックス値毎にＮ個の値が存在しており、工程５２０では、Ｉサンプル及びＱサンプルのうちの最大値のサーチが、合計（６＊Ｎ）個の値にＮ倍、増加することになる。
【００３６】
次に図１２に移れば、Ｎ＝２の場合の検出器２９０の例証的な実施例を示す。この例では、検出器２９０は、シンボル周期Ｔ毎に２つのサンプルを処理し、データ入力信号２０１の同相成分を用いる。図１２では、データ入力信号２０１は、２つのサンプル（データ入力０（２０１−１）によって表される第１のサンプルと、データ入力１（２０２−１）によって表される第２のサンプル）を備える。この点で、図４の復調器２７５はシリアル出力復調器又はパラレル出力復調器である。復調器２７５は、シリアル出力復調器である場合、復調器クロック（図示せず）に関連した交互のサンプルの系列としてデータ入力０及びデータ入力１を供給する。一方、復調器２７５は、パラレル出力復調器である場合、復調器クロック（図示せず）に同時に関連したサンプル対としてデータ入力０及びデータ入力１を供給する。何れの場合も、復調器クロックは、シンボル・レート（１／Ｔ）の２倍以上の周波数を有し得る。クロック周波数がシンボル・レートの２倍よりも高い場合、サンプル・イネーブル（図示せず）は、復調器クロックに対してサンプルが利用可能な時点を識別する。単純にし、かつ一般性を失うことなく、以下では、クロック周波数はシンボル・レート（１／Ｔ）に等しく、復調器２７５はパラレル出力復調器である。
【００３７】
図１２から分かり得るように、各サンプルは同様に処理される。特に、データ入力０は、相関器（セグメント同期検出器）６０５−１、漏れ積分器６１０−１、二乗器６１５−１及びピーク・サーチ・エレメント６２０−１によって処理される。同様に、データ入力１は、相関器（セグメント同期検出器）６０５−２、漏れ積分器６１０−２、二乗器６１５−２及びピーク・サーチ・エレメント６２０−２によって処理される。これらの２つの処理路からの出力信号がキャリア位相検出器２８０に印加され、キャリア位相検出器２８０は、前述の原理によってシンボル・インデックス値２９１、相関器値２９２、ピーク値２９３及びキャリア位相値２９４を供給する。
【００３８】
本発明の原理による別の実施例では、セントロイド算出器は、一度（わずかな時間）にシンボル毎にＮ個のサンプルを処理するよう拡張され、ここでＮは、整数であり、Ｎ≧２であり、図１１に示すように（第２の実施例及び第３の実施例と同様に）同相デ―タ入力及び直交データ入力である。本発明の概念の拡張は、図９に関して説明したキャリア位相検出器アルゴリズムを変えるものでない。シンボル毎にＮ個のサンプルのセントロイド算出器の場合、セグメント同期積分器は図ではＴ／Ｎの間隔がとられており、ここでＴはシンボル周期である。更に、セグメント同期相関器は、Ｔ／Ｎの間隔のセグメント同期特性に合致するＴ／Ｎの間隔の値を有し、漏れ積分器はＮｘ８３２長であり、シンボル・インデックスは、各値をＮ回繰り返す。例えば、Ｎ＝２の場合、Ｎ＝１の場合の０、１、２、…、８３１の代わりに０、０、１、１、２、２、…，、８３１、８３１のパターンに従う。
【００３９】
次に図１３に移れば、別の例証的な実施例を示す。この実施例は、乗算器１２５によって行われる重み付け処理の前にリミタ２６５を含んでいる以外には図５に示すものと同様である。リミタ２６５の処理は、図１４の例証的な流れ図に示す。工程７０５では、リミタ２６５は、ピーク・サーチの完了を待つ。ピーク・サーチが完了すると、リミタ２６５は工程７１０で閾値を設定する。例証的には、閾値は（ピーク／Ｋ）に等しくなるように設定され、ここでＫの値は実験的に選ばれる。工程７１５では、リミタ２６５は、相関器値（２９２）が、設定された閾値よりも大きいかを判定する。相関器値（２９２）が、設定された閾値よりも大きい場合、リミタ２６５は、工程７２０で、相関器値（２９２）を限定するものでない、すなわち、信号２６６の値は、図１３における信号２９２の値に等しい。しかし、相関器値（２９２）が閾値以下の場合、リミタ２６５は、工程７２５で、例証的なリミタ値Ｌに等しくなるように信号２６６の値を設定する。この例では、Ｌはゼロに等しい。結果として、工程７２５では、信号２６６はゼロに等しくなるように設定される。
【００４０】
リミタ２６５の背後にある考え方は、相関の概念と、ランダムなデータ及び雑音が積分器においてゼロに累算されるという前提が、非有界系列サイズに達する多数のサンプルを前提としていることによる。しかし、セントロイド算出及び結果として生じる積分は、限定量の時間内に起こる。実際に、セントロイド算出の時間は、受信器がロックするための合計時間に影響を及ぼすので、セントロイド算出器時間を最小にすることに関心がある。したがって、積分器における、データ入力及び実際の入力雑音に関連した残留雑音が存在し、これは、セントロイド算出器処理時間の関数でもある。この残留雑音は、ゼロｄＢゴースト又はゼロに近いｄＢのゴーストを備えるチャネル以外では、ピーク・サーチに影響を及ぼす可能性が低い。しかし、重み付けされた値（図１３の信号１２６）は、現行シンボルから中心までの距離と、相関値との積であり、ピーク値から遠く離れた位置における雑音は、最終的な算出にかなり寄与し得る。そういうものとして、前述のリミタを設けることによって、相関器積分器における残留雑音をなくし、加重値推定を向上させることが可能である。このリミタは、考えられる復調器のキャリア位相及びシンボル・タイミングの不定性、又は自動利得制御（ＡＧＣ）の不一致による不一致処理における過剰なリミティングをなくす、ピーク値の関数である場合により効率的である。
【００４１】
リミタの使用の欠点は、理論上は、微小レベルがリミタ２６５によって無視されることになるので、セントロイド算出器は、特定の強度レベルを超えるゴーストを含むことのみに限定されることになる。しかし、工程７１０における定数Ｋの適切な選択は、どの相関値が残留雑音の結果であるかと、どの値が実際のゴーストであるかとのバランスを規定することになる。残留雑音レベルを下回るゴースト強度レベルは、リミタの有無にかかわらずセントロイド算出器によって適切に対処されないことになる。例として、Ｋ＝２６の場合、リミタは、主信号を約１８ｄＢ下回るゴーストを無視する。
【００４２】
セントロイド算出器にリミタを追加することは、本明細書記載の実施例全てに該当する。例えば、本発明の原理による別の例証的な実施例７００を図１５に示す。この図は、リミタ２６５の追加以外は図１に示す実施例と同様である。リミタ２６５は、図１４の流れ図に関して前述したように機能する。
【００４３】
本発明の原理によって本明細書に記載した例証的な実施例は全て、何れかの同期信号に基づき得る。相関器は、選択する同期信号と入力データを比較する。ＡＴＳＣ−ＤＴＶの場合、特定の候補は、セグメント同期信号又はフレーム同期信号である。これらのタイプの同期信号の場合、違いは、相関器の選択と、同期信号のタイプ及びサイズに対応するうえでの積分器のサイズとにある。
【００４４】
同様に、本発明の原理によって本明細書に記載した例証的な実施例は全て、何れかのディジタル通信システムの何れかのタイプの訓練信号に基づくものであり得る。この場合、相関器は、対象の訓練信号と入力データとを比較する。本発明の原理によって本明細書に記載した実施例の全てについて、仮想中心の算出は確かに信号の受信の始めに行われるが、処理は、最適仮想中心位置がチャネル状態に基づいて常に更新されるように続き得るものであり、仮想中心は、更新された仮想中心位置によって、サンプリング・クロック周波数を適宜、ゆるやかに変更することによってシフトさせることが可能である。同様な更新を、次いで、時間位相出力について行うべきである。
【００４５】
本発明の原理によって本明細書に記載した実施例全てについて、等化器の仮想中心でもある重み付けされた中心が判定されると、セグメント同期やフレーム同期の信号などの参照信号を受信器において局所に再生成させて、仮想中心で整列させる。等化データ出力を仮想中心で整列させることになるようチャネルを等化するようタップは等化器において増えることになる。
【００４６】
本発明の原理によって本明細書に記載した実施例全てについて、出力キャリア位相の生成に厳密に関連したブロックは、セントロイド算出器の残りから別個に実施し、復調器におけるキャリア位相不定性を補正する目的で用いることができる。
【００４７】
前述は本発明の原理を例証するものに過ぎない。よって、本明細書に明示していないが、本発明の原理を実施し、その趣旨及び範囲内にある別の数多くの配置を考え出すことができるものである。例えば、別個の機能エレメントの意味合いで例証しているが、こうした機能エレメントは、１つ又は複数の集積回路（ＩＣ）上に実施することができる。同様に、別個のエレメントとして示しているが、そうしたエレメントの何れか又は全てを、関連したソフトウェア（例えば、図示した（例えば、図７、図１０及び／又は図１４の）１つ又は複数の工程に相当する）を実行するストアード・プログラム制御プロセッサ（例えば、ディジタル信号プロセッサ）において実施することができる。更に、ＴＶ受像機１０内に組み込まれたエレメントとして示しているが、その中のエレメントは、その何れかの組み合わせにおいて別々の装置に分散させることができる。例えば、図３の受信器１５は、装置又はボックス（装置から物理的に別個のセットトップ・ボックスなど）若しくはディスプレイ２０等を組み入れたボックスの一部であり得る。更に、地上波放送の意味合いで説明しているが、本発明の原理は、他のタイプの通信システム（例えば、衛星、ケーブル等）に適用可能である。よって、数多くの修正を例証的な実施例に行うことができ、特許請求の範囲記載の、本発明の趣旨及び範囲から逸脱することなく他の配置を考え出すことができるものとする。
【図面の簡単な説明】
【００４８】
【図１】セントロイド算出器の構成図である。
【図２】複素中心算出器に用いる複素信号を処理する構成図である。
【図３】本発明の原理を実施する受信器の例証的な概要レベルの構成図である。
【図４】本発明の原理を実施する受信器の例証的な部分を示す図である。
【図５】本発明の原理を実施する受信器の例証的な部分を示す図である。
【図６】本発明の原理を実施する受信器の例証的な部分を示す図である。
【図７】本発明の原理による、受信器において用いる例証的な流れ図である。
【図８】表１を示す図である。
【図９】本発明の原理によるキャリア位相検出器の別の例証的な実施例を示す図である。
【図１０】本発明の原理による、受信器において用いる別の例証的な流れ図である。
【図１１】本発明の原理による別の例証的な実施例を示す図である。
【図１２】本発明の原理による別の例証的な実施例を示す図である。
【図１３】本発明の原理による他の例証的な実施例を示す図である。
【図１４】本発明の原理による他の例証的な実施例を示す図である。
【図１５】本発明の原理による他の例証的な実施例を示す図である。
【図１】
2007537662.tif 000003
【図２】
2007537662.tif 000004
【図３】
2007537662.tif 000005
【図４】
2007537662.tif 000006
【図５】
2007537662.tif 000007
【図６】
2007537662.tif 000008
【図７】
2007537662.tif 000009
【図８】
2007537662.tif 000010
【図９】
2007537662.tif 000011
【図１０】
2007537662.tif 000012
【図１１】
2007537662.tif 000013
【図１２】
2007537662.tif 000014
【図１３】
2007537662.tif 000015
【図１４】
2007537662.tif 000016
【図１５】
2007537662.tif 000017
【国際調査報告】
2007537662.tif 000018
2007537662.tif 000019
2007537662.tif 000020
2007537662.tif 000021